(57)【要約】【課題】股部開放型の乳幼児用衣服において、下衣部の下方の前後身頃にそれぞれ凸状の股覆い布を延設し、留め手段を介して前身また後身のいずれの側からも股覆い布をつなぎ留め自在とすることにより、幼児が仰向け又は腹這いのいずれの状態でも衣服の着脱を容易にできるようにした乳幼児用衣服に関する。【解決手段】上衣と下衣が一体に連結され、且つ下衣部の下側が開放されている乳幼児用衣服において、下衣部下方の前後身頃にそれぞれ凸状の股覆い布を延設し、且つ夫々の股覆い布の外側で身丈方向上部に第１の留め手段を設け、更に股覆い布の内側で身丈方向下部に第２の留め手段を設け、留め手段を適宜係合させて、前後身のいずれの側からも股覆い布をつなぎ留めを容易にできるようにしたものである。【選択図】          図１
2004353102.tif 000002
【特許請求の範囲】
【請求項１】
上衣と下衣が一体に連結しており、下衣部の下側が開放されている乳幼児用衣服において、下衣部がその下側に衣服の前後身頃にそれぞれ凸状の股覆い布を延設し、前記それぞれの凸状の股覆い布をつなぎ留めして当該つなぎ留められた股覆い布の両側から両足が出るのを可能とし、且つ前後股覆い布それぞれの外側の身丈方向上部に第１の留め手段を、前後股覆い布それぞれの内側の身丈方向下部に第２の留め手段を設け、前後股覆い布のいずれかの第１の留め手段と前後股覆い布の他方の第２の留め手段を係合させることにより、
前後いずれ側からも股覆い布をつなぎ留められるよう構成したことを特徴とする乳幼児用衣服。
【請求項２】
前後股覆い布の第１および第２の留め手段がホック、ボタンとボタン孔、面ファスナーのいずれかであることを特徴とする請求項１に記載の乳幼児用衣服。
【請求項３】
衣服の後身頃を構成する生地が編地であり、生地目の方向が横使い、即ち生地のウエール方向が身丈の方向に対して直角の方向となるように構成したことを特徴とする請求項１および請求項２に記載の乳幼児用衣服。
【発明の詳細な説明】
【０００１】
【発明の属する技術分野】
本発明は、下衣部の下方を開放型にした乳幼児用衣服において、下衣部の下方の前後身頃にそれぞれ凸状の股覆い布を延設し、股覆い布に設けた係止具を介して前身また後身のいずれの側からも股覆い布をつなぎ留め自在とすることにより、幼児が仰向け又は腹這いのいずれの状態でも衣服の着脱を容易にできるようにした乳幼児用衣服に関する。
【０００２】
【従来の技術】
従来は、例えば特開２００１−５５６０６号公報のように股部開放型の乳幼児用衣服において、股部の前身側を開閉自在としたものが多くみられる。
【０００３】
【発明が解決しようとする課題】
しかしながら乳幼児用衣服において、股部の前身側を開閉自在とした場合、特に腹這いの状態で“はいはい“する時期の乳幼児においては、衣服の着脱の際、腹這いの状態では前身側に設けたホックなどによる係止具の係止が非常に困難であり、従って乳幼児をその都度仰向けにした状態で衣服の着脱を行う必要があった。
【０００４】
【課題を解決するための手段】
本発明では上記の課題を解決するために、上衣と下衣が一体化連結され、下衣部の下側が開放されている乳幼児用衣服において、下衣部の下側における前後身頃にそれぞれ凸状の股覆い布を延設し、前後股覆い布の夫々の外側で且つ身丈方向上部に第１の留め手段を、前後股覆い布の夫々の内側で且つ身丈方向下部に第２の留め手段を設け、前後股覆い布のいずれかの第１の留め手段と前後股覆い布の他方の第２の留め手段を係合させることにより、前後身のいずれの側からも股覆い布をつなぎ留めできるようにしたので、乳幼児が仰向け又は腹這いのいずれの状態でも、股覆い布を自由につなぎ留めすることが可能になり、衣服の着脱を極めて簡単に行うことができるのである。
【０００５】
【発明の実施の形態】
本発明における乳幼児用衣服の実施例について、以下説明する。１は乳幼児用衣服で、２は上衣、３は下衣、４は胴部で前身頃５及び後身頃６で形成されており、７は首刳り、８は肩部、９は袖部で、上衣２は胴部４、首刳り７、肩部８及び袖部９から形成されている。１１は肩部８に設けた周知の係止具で肩部８を開閉自在となるようにしてある。１５は下衣３を形成する股部で１６は足刳り部、１７は前身頃５の下方部を延長して凸状に形成して設けた前身側股覆い布、１８は後身頃６の下方部を延長して凸状に形成して設けた後身側股覆い布である。
【０００６】
２０は足刳り部１６の周縁に設けた三つ折り状のテープ生地で、足刳り部１６，１６の周縁部、即ち前身側及び後身側側股覆い布１７、１８の夫々の周縁部に一体的に縫着２１したテープ生地である。尚、先端部を凸状に形成した前身側股覆い布１７及び後身側側股覆い布１８を後述の如く、互いに重合し、つなぎ留めすることにより、足刳り部１６、１６を有する股部１５が形成され、下衣３が形成されるのである。
【０００７】
２５、２５及び２６、２６は夫々前身側及び後身側股覆い布１７、１８の身丈方向の上方部で且つ外側に設けた周知のホック型で且つ凸状型の係止具（第１の留め手段）であり、２７，２８は夫々細幅の補強用テープ生地で前身側及び後身側股覆い布１７，１８の裏面側で且つ係止具の位置に適宜縫着して設けてあり、同補強用テープ生地２７、２８を介在させて凸状型の係止具２５、２６を固着するようにしてある。３０、３０及び３１、３１は夫々前身側及び後身側股覆い布１７、１８の身丈方向の下方部で且つ内側に設けた周知のホック型で且つ凹状型の係止具（第２の留め手段）で、三つ折り状のテープ生地２０を介在させて固着してある。
【０００８】
尚、後身側股覆い布１８の下方部内面に設けた凹状型の係止具３１、３１（第２の留め手段）は、前身側股覆い布１７の上方位置に設けた凸状型の係止具２５、２５（第１の留め手段）に対応して係止自在となるようにしてあり、同様に前身側股覆い布１７の下方部に設けた凹状型の係止具３０、３０（第２の留め手段）は、夫々後身側側股覆い布１の上方部に設けた凸状型の係止具２６、２６（第１の留め手段）に対応して係止自在となるようにしてある。
【０００９】
また図２及び図３の場合は、後身側股覆い布１８を股部の前身側、即ち前身側股覆い布１７上に反転させて重合し、且つ後身側股覆い布１８に設けた係止具３１、３１（第２の留め手段）を前身側股覆い布１７に設けた係止具２５、２５（第１の留め手段）に対して圧着自在とすることにより、股部１５の前身側を開閉自在となるようにしたものである。従って乳幼児が仰向けの状態の場合でも、前身側での係止具３１，３１を係止具２５、２５に対して圧着自在にでき、衣服の着脱を極めて簡単に行うことができるのである。
【００１０】
更に図４及び図５の場合は、前身側股覆い布１７を股部の後身側、即ち後身側股覆い布１８上に反転させて重合し、且つ前身側股覆い布１７に設けた係止具３０、３０（第２の留め手段）を後身側股覆い布１８に設けた係止具２６、２６（第１の留め手段）に対して圧着自在とすることにより、股部１５の後身側を開閉自在となるようにしたものである。従って腹這いの状態で“はいはい“する時期の乳幼児の場合でも乳幼児をその都度仰向けにすることなく、後身側での係止具３０，２６の圧着を自由にでき、衣服の着脱を極めて簡単に行うことができるのである。
【００１１】
尚、胴部４の前身頃５、後身頃６、前身側覆い布１７及び後身側覆い布１８の生地使いとしては、伸縮性メリヤス生地のような伸縮性生地が好ましく、更に後身頃６及び後身側覆い布１８の生地目の方向としては横使い、即ち生地のウエール方向が身丈の方向に対して直角の方向となるようにすることにより、身丈方向での生地の伸縮性が大となり、乳幼児が腹這いの状態で“はいはい“する場合でも後身頃６の生地がよく伸びるので着用時においても窮屈感がなく、乳幼児用の衣服として好適なものが得られるのである。
【００１２】
また前記係止具２５、２６、３０、３１の手段としては、圧着自在なホック型の他に釦及び釦孔を利用するもの又は面状ファスナーを利用するものなど、各種の留め手段を利用することができるのである。
【００１３】
【発明の効果】
本発明では、下衣部の下側に凸状の前身及び後身側股覆い布を延設し、且つ夫々の凸状の股覆い布に留め手段を設け、股覆い布を適宜に重合してつなぎ留めすることにより、股部の前身側または後身側にて股部の開閉を自由にでき、乳幼児が仰向けの状態または腹這いの状態であっても股部の開閉が容易となり、取り扱いの便利な乳幼児用衣服を得ることができるのである。
【図面の簡単な説明】
【図１】本発明による乳幼児用衣服において、股部を開放した状態の概略正面図である。
【図２】本発明による乳幼児用衣服において、後身側股覆い布を前身側股覆い布上に重合した状態の概略正面図である。
【図３】図２の概略背面図である。
【図４】本発明による乳幼児用衣服において、前身側股覆い布を後身側股覆い布上に重合した状態の概略正面図である。
【図５】図４の概略背面図である。
【図６】図４のＸ―Ｘ断面における係止具の圧着状態説明用の概略断面図である。
【符号の説明】
１    乳幼児用衣服
２    上衣
３    下衣
４    胴部
１７  前身側股覆い布
１８  後身側覆い布
【図１】
2004353102.tif 000003
【図２】
2004353102.tif 000004
【図３】
2004353102.tif 000005
【図４】
2004353102.tif 000006
【図５】
2004353102.tif 000007
【図６】
2004353102.tif 000008